(57)【特許請求の範囲】
【請求項１】
任意の１台を予備とし残りの複数台を現用として並列運転を行い無線周波数信号を出力する複数台の送信機と、
前記現用とする送信機の台数分のみ設けられ、各々が前記送信機１台分の電源電力供給を無停電で行う複数台の無停電電源装置と、
すべての前記送信機の出力端と接続され、前記現用とされた複数台の送信機からの送信出力のみを１つの合成出力とするための出力経路を切替える送信出力系統切替手段と、
前記複数台の無停電電源装置からの電源電力を前記現用とされた複数台の送信機へのみ供給するための電力供給経路を切替える電力供給系統切替手段と、
前記現用とされた複数台の送信機のうちいずれかの１台を前記予備とされた送信機と切替える際、前記送信出力系統切替手段と前記電力供給系統切替手段とを連動させて制御し、切替えの対象でない送信機の出力を無停波のまま切替えを行う制御手段とを備えることを特徴とする無停波送信システム。
【請求項２】
１台を予備とし２台を現用として並列運転を行い無線周波数信号を出力する３台の送信機と、
各々が前記送信機１台分の電源電力供給を無停電で行う２台の無停電電源装置と、
前記現用とされた２台の送信機からの送信出力を合成し１つの合成信号としてアンテナ回路へ出力する合成器と、
前記３台の送信機の出力端と接続され、前記現用とされた２台の送信機からの送信出力のみを前記合成器へ出力する送信出力系統切替器と、
前記現用とされた２台の送信機には前記２台の無停電電源装置からの電源電力をそれぞれ供給し、前記予備とされた１台の送信機には無停電の保証がない商用電源電力を供給する電力供給系統切替器と、
前記現用とされた２台の送信機のうちいずれかの１台を前記予備とされた送信機と切替える際、前記送信出力系統切替器と前記電力供給系統切替器とを連動させて制御し、切替えの対象でない送信機の出力を無停波のまま切替えを行う制御装置とを備えることを特徴とする請求項１記載の無停波送信システム。
【請求項３】
請求項２記載の無停波送信システムに用いられる電力供給系統切替器において、
前記３台の送信機の各々ごとに電源電力の供給源を前記無停電電源装置側にするか前記商用電源電力側にするか切替える第１のスイッチ群と、前記第１のスイッチ群の前記無停電電源装置側の各々ごとに電源電力の供給源を第１の前記無停電電源装置側にするか第２の前記無停電電源装置側にするか切替える第２のスイッチ群とを有することを特徴とする電力供給系統切替器。
【請求項４】
請求項２記載の無停波送信システムに用いられる電力供給系統切替器において、
第１の入力端子を第１の出力端子に接続すると共に第２の入力端子を第２の出力端子に接続する正位置状態と、第１の入力端子を第２の出力端子に接続すると共に第２の入力端子を第１の出力端子に接続する逆位置状態とのいずれかの状態を任意に設定可能なスイッチを３つ備え、
第１の前記無停電電源装置からの電源電力を第１の前記スイッチの第１の入力端子に供給し、第２の前記無停電電源装置からの電源電力を第３の前記スイッチの第１の入力端子に供給し、前記商用電源電力を第３の前記スイッチの第２の入力端子に供給し、第３の前記スイッチの第１の出力端子を第２の前記スイッチの第１の入力端子に接続し、第３の前記スイッチの第２の出力端子を第１の前記スイッチの第２の入力端子に接続し、第１の前記スイッチの第２の出力端子を第２の前記スイッチの第２の入力端子に接続し、第１の前記スイッチの第１の出力端子に出力される電源電力を第１の前記送信機に供給し、第２の前記スイッチの第１の出力端子に出力される電源電力を第２の前記送信機に供給し、第２の前記スイッチの第２の出力端子に出力される電源電力を第３の前記送信機に供給することを特徴とする電力供給系統切替器。
【請求項５】
請求項２記載の無停波送信システムにおいて、
前記電力供給系統切替器として、請求項４記載の電力供給系統切替器を備え、
前記送信出力系統切替器として、前記電力供給系統切替器と同様な構成の３つのスイッチを備え、第１の前記送信機からの送信出力を第１の前記スイッチの第１の入力端子に供給し、第２の前記送信機からの送信出力を第２の前記スイッチの第１の入力端子に供給し、第３の前記送信機からの送信出力を第２の前記スイッチの第２の入力端子に供給し、第２の前記スイッチの第２の出力端子を第１の前記スイッチの第２の入力端子に接続し、第１の前記スイッチの第２の出力端子を第３の前記スイッチの第２の入力端子に接続し、第２の前記スイッチの第１の出力端子を第３の前記スイッチの第１の入力端子に接続し、第１の前記スイッチの第１の出力端子に出力される送信出力を前記合成器の第１の入力端子に供給し、第３の前記スイッチの第１の出力端子に出力される送信出力を前記合成器の第２の入力端子に供給し、第３の前記スイッチの第２の出力端子に出力される送信出力をダミー回路に供給し、
前記制御装置が、前記現用とされた２台の送信機のうちいずれかの１台を前記予備とされた送信機と切替える際、前記電力供給系統切替器の前記第１のスイッチ及び前記送信出力系統切替器の前記第１のスイッチ、前記電力供給系統切替器の前記第２のスイッチ及び前記送信出力系統切替器の前記第２のスイッチ、前記電力供給系統切替器の前記第３のスイッチ及び前記送信出力系統切替器の前記第３のスイッチをそれぞれ連動させて前記正位置状態または逆位置状態に設定することを特徴とする無停波送信システム。
【発明の詳細な説明】
【０００１】
【発明の属する技術分野】
本発明は無停波送信システム、及びその電力供給系統切替器に関し、特に予備を１台とする複数（３式）の送信機に対し、現用送信機数（２式）分の無停電電源装置（ＵＰＳ）による経済的な無停波送信を可能とした無停波送信システムと、それに用いられる電力供給系統切替器とに関する。
【０００２】
【従来の技術】
図９に示すように従来、３式の送信機のうち２式を現用とし、残り１式の送信機を予備として待機させる送信システムでは、各送信機の電力供給に無停電電源装置を設ける場合、送信機に対し一意対応させた３式の無停電電源装置を備えていた。
【０００３】
【発明が解決しようとする課題】
上述した従来の送信システムでは、実際に必要な無停電電源装置は対となった送信機とともに予備機として待機状態にあるが、待機中の送信機に対しては無停電電源による電力供給を行う必要は無く、経済面からも設置スペース面からも改善の余地があった。
【０００４】
【課題を解決するための手段】
本発明の請求項１に係る無停波送信システムは、任意の１台を予備とし残りの複数台を現用として並列運転を行い無線周波数信号を出力する複数台の送信機と、前記現用とする送信機の台数分のみ設けられ、各々が前記送信機１台分の電源電力供給を無停電で行う複数台の無停電電源装置と、すべての前記送信機の出力端と接続され、前記現用とされた複数台の送信機からの送信出力のみを１つの合成出力とするための出力経路を切り替える送信出力系統切替手段と、前記複数台の無停電電源装置からの電源電力を前記現用とされた複数台の送信機へのみ供給するための電力供給経路を切り替える電力供給系統切替手段と、前記現用とされた複数台の送信機のうちいずれかの１台を前記予備とされた送信機と切替える際、前記送信出力系統切替手段と前記電力供給系統切替手段とを連動させて制御し、切替えの対象でない送信機の出力を無停波のまま切替えを行う制御手段とを備える。
【０００５】
本発明の請求項２に係る無停波送信システムは、請求項１に係る無停波送信システムにおいて、１台を予備とし２台を現用として並列運転を行い無線周波数信号を出力する３台の送信機と、各々が前記送信機１台分の電源電力供給を無停電で行う２台の無停電電源装置と、前記現用とされた２台の送信機からの送信出力を合成し１つの合成信号としてアンテナ回路へ出力する合成器と、前記３台の送信機の出力端と接続され、前記現用とされた２台の送信機からの送信出力のみを前記合成器へ出力する送信出力系統切替器と、前記現用とされた２台の送信機には前記２台の無停電電源装置からの電源電力をそれぞれ供給し、前記予備とされた１台の送信機には無停電の保証がない商用電源電力を供給する電力供給系統切替器と、前記現用とされた２台の送信機のうちいずれかの１台を前記予備とされた送信機と切替える際、前記送信出力系統切替器と前記電力供給系統切替器とを連動させて制御し、切替えの対象でない送信機の出力を無停波のまま切替えを行う制御装置とを備える。
【０００６】
本発明の請求項３に係る電力供給系統切替器は、請求項２に係る無停波送信システムに用いられる電力供給系統切替器において、前記３台の送信機の各々ごとに電源電力の供給源を前記無停電電源装置側にするか前記商用電源電力側にするか切替える第１のスイッチ群と、前記第１のスイッチ群の前記無停電電源装置側の各々ごとに電源電力の供給源を第１の前記無停電電源装置側にするか第２の前記無停電電源装置側にするか切替える第２のスイッチ群とを有する。
【０００７】
本発明の請求項４に係る電力供給系統切替器は、請求項２に係る無停波送信システムに用いられる電力供給系統切替器において、第１の入力端子を第１の出力端子に接続すると共に第２の入力端子を第２の出力端子に接続する正位置状態と、第１の入力端子を第２の出力端子に接続すると共に第２の入力端子を第１の出力端子に接続する逆位置状態とのいずれかの状態を任意に設定可能なスイッチを３つ備え、第１の前記無停電電源装置からの電源電力を第１の前記スイッチの第１の入力端子に供給し、第２の前記無停電電源装置からの電源電力を第３の前記スイッチの第１の入力端子に供給し、前記商用電源電力を第３の前記スイッチの第２の入力端子に供給し、第３の前記スイッチの第１の出力端子を第２の前記スイッチの第１の入力端子に接続し、第３の前記スイッチの第２の出力端子を第１の前記スイッチの第２の入力端子に接続し、第１の前記スイッチの第２の出力端子を第２の前記スイッチの第２の入力端子に接続し、第１の前記スイッチの第１の出力端子に出力される電源電力を第１の前記送信機に供給し、第２の前記スイッチの第１の出力端子に出力される電源電力を第２の前記送信機に供給し、第２の前記スイッチの第２の出力端子に出力される電源電力を第３の前記送信機に供給する構成を有する。
【０００８】
本発明の請求項５に係る無停波送信システムは、請求項２に係る無停波送信システムにおいて、前記電力供給系統切替器として、請求項４記載の電力供給系統切替器を備え、前記送信出力系統切替器として、前記電力供給系統切替器と同様な構成の３つのスイッチを備え、第１の前記送信機からの送信出力を第１の前記スイッチの第１の入力端子に供給し、第２の前記送信機からの送信出力を第２の前記スイッチの第１の入力端子に供給し、第３の前記送信機からの送信出力を第２の前記スイッチの第２の入力端子に供給し、第２の前記スイッチの第２の出力端子を第１の前記スイッチの第２の入力端子に接続し、第１の前記スイッチの第２の出力端子を第３の前記スイッチの第２の入力端子に接続し、第２の前記スイッチの第１の出力端子を第３の前記スイッチの第１の入力端子に接続し、第１の前記スイッチの第１の出力端子に出力される送信出力を前記合成器の第１の入力端子に供給し、第３の前記スイッチの第１の出力端子に出力される送信出力を前記合成器の第２の入力端子に供給し、第３の前記スイッチの第２の出力端子に出力される送信出力をダミー回路に供給し、前記制御装置が、前記現用とされた２台の送信機のうちいずれかの１台を前記予備とされた送信機と切替える際、前記電力供給系統切替器の前記第１のスイッチ及び前記送信出力系統切替器の前記第１のスイッチ、前記電力供給系統切替器の前記第２のスイッチ及び前記送信出力系統切替器の前記第２のスイッチ、前記電力供給系統切替器の前記第３のスイッチ及び前記送信出力系統切替器の前記第３のスイッチをそれぞれ連動させて前記正位置状態または逆位置状態に設定する構成を有する。
【００１０】
【発明の実施の形態】
まず本発明の概要を説明する。本発明は、商用電力供給系統および無停電電源装置（ＵＰＳ）による電力供給系統をそれぞれ２系統具備し、予備を１台とする複数（３式）の送信機に対し、現用送信機数（２式）分の無停電電源装置（ＵＰＳ）による経済的な無停波送信を可能とした無停波送信システムを提供するものである。
【００１１】
３式の送信機は、任意の２式の送信出力を合成して放送に使用するシステムであり、残り１式の送信機は、予備送信機として停止状態で待機している。３式の送信機に対して実際に運用に供する送信機が２式であるため、無停電電源装置（ＵＰＳ）も２式のみとし、実際に運用する送信機に対してのみ無停電電源装置から電力を供給し、待機となるもう１式の送信機に対しては、商用電力供給となるように電力系統の切替を行う。併せて、送信機の電力系統切替えのために負荷となる送信機を切替期間中停止させる必要があるが、この切替えを送信機の出力経路切替え期間中に同時に行うことにより電力系統切替えのための送信機の停止を不要とすることを特徴とする。
【００１２】
すなわち、本発明は、複数、特に３式の送信機のうち２式を並列合成して運用し、残り１式の送信機は予備送信機として待機させる送信システムにおいて、運用に供する２式の送信機についてのみ無停電電源装置から電力供給を行うため、無停電電源装置を必要最小限とすることができ、経済的で省スペース化が図れる効果を得られる。また、電力系統の切替えは、送信機の出力系統切替え期間中に併せて行うため、切替えのための送信機停止期間の増加は不要であるという効果が有る。
【００１３】
次に、本発明の実施の形態について図面を参照して詳細に説明する。
【００１４】
図１は本発明の一実施の形態を示すシステム構成図である。図１において、本例の無停波送信システムは、＃１〜＃３の３式（台）の送信機１１，１２，１３と、＃１〜＃２の２式（台）の無停電電源装置（ＵＰＳ）２１，２２と、現用の２式の送信機からの送信出力を合成し１つの合成信号としてアンテナ回路７０へ出力する合成器６０と、予備の１式の送信機からの送信出力を終端するダミー回路８０と、現用の送信機の出力を合成器６０へ入力させ、予備の送信機の出力をダミー回路８０へ入力させる送信出力系統切替器５０と、現用の送信機には無停電電源装置からの電源電力を供給させ、予備の送信機には商用電源電力を供給させる電力供給系統切替器４０と、送信出力系統切替器５０と電力供給系統切替器４０とを連動させて制御し送信機の現用、予備の切替えを行なう制御装置３０とを備えている。
【００１５】
各無停電電源装置（ＵＰＳ）２１，２２は、バッテリあるいは発電機を含み、無停電保証されていない商用電源電力（例えば、交流１００／２００Ｖ）を元に、商用電力と同じ仕様だが、送信機１式に対し所定時間以上に亘って無停電を保証する電源電力を供給する。
【００１６】
各送信機１１〜１３は、商用電源、あるいはＵＰＳ２１，２２からの電源電力を受けて動作する。本例の場合、電源電力は交流としたので、各送信機に交流・直流変換器を備えている。なお、この交流・直流変換器は、商用電源及びＵＰＳ２１，２２側に設けるようにすることもできる。各送信機１１〜１３は、図示していない放送用信号を入力し、無線周波数信号に変換して出力する。入力信号は通常、同一であり、２式の送信機を並列運転して出力の合成を行い、１式の送信機が故障しても出力が途切れないようにしてある。
【００１７】
電力供給系統切替器４０及び送信出力系統切替器５０はそれぞれ、機能的には互いに同様な働きをする３つのスイッチを有している。すなわち、電力供給系統切替器４０の各スイッチ（ＳＷ）４１，４２，４３と、送信出力系統切替器５０の各スイッチ（ＳＷ）５１．５２．５３とはそれぞれ、第１の入力端子（Ｉ１）を第１の出力端子（Ｏ１）に接続すると共に第２の入力端子（Ｉ２）を第２の出力端子（Ｏ２）に接続する正位置状態と、第１の入力端子（Ｉ１）を第２の出力端子（Ｏ２）に接続すると共に第２の入力端子（Ｉ２）を第１の出力端子（Ｏ１）に接続する逆位置状態とのいずれかの状態を任意に設定可能である。
【００１８】
ただし、電力供給系統切替器４０の各ＳＷ４１，４２，４３は、低周波（あるいは直流）電力の切替えを行なう必要があり、送信出力系統切替器５０の各ＳＷ５１．５２．５３は、電力供給系統切替器４０程の電力ではないが、高周波電力の切替えを行なう必要があるので、具体的な構造は異なる。例えば、ＳＷ５１．５２．５３は、同軸切替器を使用する。
【００１９】
一方、ＳＷ４１，４２，４３は、通常の切替器を使用することができる。図７にその構成例を示す。
【００２０】
図７の分図（ａ）は、ＳＷ４１〜４３の端子間の接続を示したものである。正位置状態のときは、図中に実線で示すように、第１の入力端子Ｉ１及び第１の出力端子Ｏ１間、第２の入力端子Ｉ２及び第２の出力端子Ｏ２間をそれぞれ接続する。逆位置状態のときは、図中に点線で示すように、第１の入力端子Ｉ１及び第２の出力端子Ｏ２間、第２の入力端子Ｉ２及び第１の出力端子Ｏ１間をそれぞれ接続する。図７の分図（ｂ）及び（ｃ）は、このＳＷ４１〜４３を２つの双投スイッチ（ｓｗａ，ｓｗｂ）を組み合わせて構成した例を示す。なお、ｓｗａ，ｓｗｂともに、図では単極双投のように描いているが、実際には、電源線を切り替えるため、双極双投スイッチ（単相交流や直流の場合）もしくは三極双投スイッチ（三相交流の場合）を用いる。ｓｗａ及びｓｗｂは連動して切替え、正位置状態のときは図中に実線で示すようにＣ端子をＮ端子に接続し、逆位置状態のときは図中に点線で示すようにＣ端子をＲ端子に接続する。
【００２１】
電力供給系統切替器４０は、ＵＰＳ（＃１）２１の電源出力端子をＳＷ４１の第１入力端子Ｉ１、ＵＰＳ（＃２）２２の電源出力端子をＳＷ４３の第１入力端子Ｉ１、商用電源の電源端子をＳＷ４３の第２入力端子Ｉ２、ＳＷ４３の第１出力端子Ｏ１をＳＷ４２の第１入力端子Ｉ１、ＳＷ４３の第２出力端子Ｏ２をＳＷ４１の第２入力端子Ｉ２、ＳＷ４１の第２出力端子Ｏ２をＳＷ４２の第２入力端子Ｉ２、ＳＷ４１の第１出力端子Ｏ１を送信機（＃１）１１の電源入力端子、ＳＷ４２の第１出力端子Ｏ１を送信機（＃２）１２の電源入力端子、ＳＷ４２の第２出力端子Ｏ２を送信機（＃３）１３の電源入力端子にそれぞれ接続して構成されている。
【００２２】
送信出力系統切替器５０は、送信機（＃１）１１の送信出力端子をＳＷ５１の第１入力端子Ｉ１、送信機（＃２）１２の送信出力端子をＳＷ５２の第１入力端子Ｉ１、送信機（＃３）１３の送信出力端子をＳＷ５２の第２入力端子Ｉ２、ＳＷ５２の第２出力端子Ｏ２をＳＷ５１の第２入力端子Ｉ２、ＳＷ５１の第２出力端子Ｏ２をＳＷ５３の第２入力端子Ｉ２、ＳＷ５２の第１出力端子Ｏ１をＳＷ５３の第１入力端子Ｉ１、ＳＷ５１の第１出力端子Ｏ１を合成器６０の第１入力端子、ＳＷ５３の第１出力端子Ｏ１を合成器６０の第２入力端子、ＳＷ５３の第２出力端子Ｏ２をダミー回路８０の入力端子にそれぞれ接続して構成されている。
【００２３】
合成器６０は、２つの入力端子にそれぞれ入力される並列運転の現用の送信機の送信出力を１つの送信出力に合成する。２式の現用の送信機のうち、１式が故障しても、正常な残りの１式の送信機の送信出力が継続して出力される。
【００２４】
ダミー回路８０は、終端抵抗器を有し、予備の送信機からの送信出力をアンテナに接続せずに消費する。なお、このダミー回路８０の代わりに、試験用の受信機を置けば、予備の送信機の動作試験が可能となる。
【００２５】
制御装置３０は、システム全体を制御し、各送信機１１，１２，１３の現用、予備を切替える際、電力供給系統切替器４０の各ＳＷ４１，４２，４３、及び送信出力系統切替器５０の各ＳＷ５１．５２．５３を互いに連動させて切替える。このとき、運転を継続する正常な現用の送信機の電源入力経路と送信出力経路とでは経路変更を起こさないようにする。これにより、無停波送信が可能となる。
【００２６】
次に、図１に示す実施の形態の動作を説明する。
【００２７】
図１の状態は、送信機（＃１）１１及び送信機（＃２）１２を使用し、送信機（＃３）１３を予備としている状態を示す。電力供給系統切替器４０及び送信出力系統切替器５０の６式のスイッチＳＷ４１，４２，４３，５１，５２，５３は、すべて正位置側が選択されているので、ＵＰＳ（＃１）２１、ＵＰＳ（＃２）２２は、それぞれ送信機１１，１２に電力供給を行い、送信機１３はＵＰＳを介さない商用系統から電力を供給されている。送信機１１及び送信機１２の送信出力が合成器６０に入力され合成される。
【００２８】
いま、送信機（＃１）１１及び送信機（＃２）１２の組み合わせを変更し、送信機（＃１）１１と送信機（＃３）１３との組み合わせとし、送信機１２は予備とする切替えを行うとする。このとき、送信機１２と送信機１３は出力系統の切替えのため、切替期間中は送信機を停止させるが、この切替期間中に同時に供給電力系統の切替えを行う。一方、送信出力経路及び電力供給経路に切替えを伴わない送信機１１は、そのまま動作を継続する。この間、合成器６０は送信機１１の送信出力をアンテナ回路７０へ出力し、無停波送信を継続する。
【００２９】
すなわち、図１においてＵＰＳ（＃２）２２は送信機（＃２）１２に電力を供給していたが、送信機１２と送信機１３との切替えにより、ＵＰＳ２２も送信機１３への電力供給に切替える（送信機１２へは商用電力を供給）。切替動作は制御装置３０の制御により行われる。送信機１２の停止を確認後、電力供給系統切替器４０のスイッチＳＷ４２、及び送信出力系統切替器５０のスイッチＳＷ５２を正位置状態（図１中実線に示す状態）から逆位置状態（図２中点線に示す状態）にする。送信機１２と送信機１３との電力供給経路及び送信出力経路の切替え動作完了後、送信機１３が起動し、送信機１１と送信機１３とによる並列合成を行い、図２の状態で復旧する。
【００３０】
次に図２の状態において、予備送信機（＃２）１２と送信機（＃１）１１とを切替え、送信機１２と送信機１３との組み合わせとし、送信機１１を予備とする切替えを行う場合について説明する。このとき、送信機１１は、出力経路切替のため、切替期間中に停止するが、送信機１３は、そのまま動作を継続する。この送信機１１と送信機１２の切替時に、電力系統の切替も同時に行う。すなわち、図２において、ＵＰＳ（＃１）２１は、ＳＷ４１を介して送信機１１に電力を供給しており、送信機１２は、商用電力をＳＷ４３，４１，４２を介して電力供給されている。送信機１１と送信機１２の切替時には、送信機１１が停止するため、この間に、ＳＷ４１及びＳＷ５１を切替え（正位置状態から逆位置状態とする）、ＵＰＳ２１は送信機１２に電力供給し、予備送信機となる送信機１１は商用電力をＳＷ４３，ＳＷ４１を介して電力供給される（図３に示す状態）。
【００３１】
次に図３の状態において、予備送信機（＃１）１１と送信機（＃３）１３とを切替え、送信機１１と送信機１２との組み合わせとし、送信機１３を予備とする切替えを行う場合について説明する。このとき、送信機１３は、出力経路切替のため、切替期間中に停止するが、送信機１２は、そのまま動作を継続する。この送信機１１と送信機１３の切替時に、電力系統の切替も同時に行う。すなわち、図３において、ＵＰＳ（＃２）２２は、ＳＷ４３，４２を介して送信機１３に電力を供給しており、送信機１１は、商用電力をＳＷ４３，４１を介して電力供給されている。送信機１１と送信機１３との切替時には、送信機１３が停止するため、この間に、ＳＷ４３及びＳＷ５３を切替え（正位置状態から逆位置状態とする）、ＵＰＳ２２はＳＷ４３，ＳＷ４１を介して送信機１１に電力供給し、予備送信機となる送信機１３は商用電力をＳＷ４３，ＳＷ４２を介して電力供給される（図４に示す状態）。
【００３２】
次に図１に示す状態、すなわち、送信機（＃１）１１及び送信機（＃２）１２を現用とし、送信機（＃３）１３を予備としている状態において、送信機１２及び送信機１３を現用とし、送信機１１を予備とするように切替える場合を説明する。この場合、電力供給系統切替器４０のスイッチＳＷ４１、及び送信出力系統切替器５０のスイッチＳＷ５１を正位置から逆位置に変更する。これにより送信機１２の動作は継続したままで、送信機１１と送信機１３との切替えを行うことができる。この状態で、送信機１１と送信機１２との切替えを行う場合は、ＳＷ４３及びＳＷ５３を正位置から逆位置に変更する。更に、送信機１２と送信機１３との切替えを行う場合は、ＳＷ４２及びＳＷ５２を正位置から逆位置に変更する。これらの切替え時の、各送信機（＃１〜＃３）１１〜１３と各ＵＰＳ（＃１〜＃２）２１〜２２との組み合わせ、及び各ＳＷ４１〜４３、５１〜５３の位置を図８に示す。
【００３３】
図５は、本発明の第２の実施の形態を示すシステム構成図である。図５において、本例の無停波送信システムは、＃１〜＃３の３式の送信機１１，１２，１３と、＃１〜＃２の２式の無停電電源装置（ＵＰＳ）２１，２２と、現用の２式の送信機からの送信出力を合成し１つの合成信号としてアンテナ回路７０へ出力する合成器６０と、予備の１式の送信機からの送信出力を終端するダミー回路８０と、現用の送信機の出力を合成器６０へ入力させ、予備の送信機の出力をダミー回路８０へ入力させる送信出力系統切替器５０と、現用の送信機には無停電電源装置からの電源電力を供給させ、予備の送信機には商用電源電力を供給させる電力供給系統切替器９０と、送信出力系統切替器５０と電力供給系統切替器４０とを連動させて制御し送信機の現用、予備の切替えを行なう制御装置３０とを備えている。本例の無停波送信システムが図１に示す無停波送信システムと異なる点は、電力供給系統切替器９０の構成が、電力供給系統切替器４０のそれと異なる点だけである。
【００３４】
電力供給系統切替器９０は、各送信機１１〜１３ごとに電源電力の供給源を前ＵＰＳ２１〜２２側にするか商用電源電力側にするか切替える第１のスイッチ群（ＳＷ９１，９３，９５）と、各ＳＷ９１，９３，９５のＵＰＳ側ごとに電源電力の供給源をＵＰＳ（＃１）２１側にするかＵＰＳ（＃２）２２側にするか切替える第２のスイッチ群（ＳＷ９２，９４，９６）とを有している。
【００３５】
図５の状態は、送信機（＃１）１１及び送信機（＃２）１２を現用とし、送信機（＃３）１３を予備としている状態を示す。電力供給系統切替器９０のスイッチＳＷ９１，９３がＵＰＳ側に、スイッチＳＷ９５が商用電源側に切替えられ、スイッチＳＷ９２がＵＰＳ（＃１）２１側に、スイッチＳＷ９４がＵＰＳ（＃２）２２側に切替えられているので、ＵＰＳ２１、ＵＰＳ２２は、それぞれ送信機１１，１２に電力供給を行い、送信機１３はＵＰＳを介さない商用系統から電力を供給されている。送信出力系統切替器５０のスイッチＳＷ５１，５２，５３は、すべて正位置側が選択されているので、送信機１１及び送信機１２の送信出力が合成器６０に入力され合成される。
【００３６】
この状態から、送信機１１及び送信機１２の組み合わせを変更し、送信機１１と送信機１３との組み合わせとし、送信機１２は予備とする切替えを行う。このとき、送信機１２と送信機１３は出力系統の切替えのため、切替期間中は送信機を停止させるが、この切替期間中に同時に供給電力系統の切替えを行う。一方、出力経路に切替えを伴わない送信機１１は、そのまま動作を継続する。
【００３７】
切替動作は制御装置３０の制御により行われる。送信機１２の停止を確認後、電力供給系統切替器９０のＳＷ９３を商用電源側に、ＳＷ９５をＵＰＳ側に、ＳＷ９６をＵＰＳ２２側に切替えると共に、送信出力系統切替器５０のＳＷ５２を正位置状態から逆位置状態にする。送信機１２と送信機１３との電力供給経路及び送信出力経路の切替え動作完了後、送信機１３が起動し、送信機１１と送信機１３とによる並列合成を行い、図６の状態で復旧する。
【００３８】
【発明の効果】
以上説明したように、本発明は、複数（３式）の送信機のうち、１式の送信機は予備送信機として待機させ、残り（２式）を並列合成して運用する送信システムにおいて、運用に供する送信機（２式）についてのみ無停電電源装置から電力供給を行うため、無停電電源装置を必要最小限とすることができ、経済的で省スペース化が図れる効果を得られる。また、電力系統の切替えは、送信機の出力系統切替期間中に併せて行うとともに、少なくとも１式の送信機の動作は継続するため、無停波送信を可能とし、切替えのための送信機停止期間、すなわち送信電力低下期間の増加は不要であるという効果が有る。
【図面の簡単な説明】
【図１】本発明の一実施の形態を示すシステム構成図である。
【図２】図１に示す送信機の現用・予備の切替え状態の一例を示す図である。
【図３】図１に示す送信機の現用・予備の切替え状態の一例を示す図である。
【図４】図１に示す送信機の現用・予備の切替え状態の一例を示す図である。
【図５】本発明の他の実施の形態を示すシステム構成図である。
【図６】図５に示す送信機の現用・予備の切替え状態の一例を示す図である。
【図７】図１に示す電力供給系統切替器を構成するスイッチの詳細構成例を示す図（分図ａ，ｂ，ｃ）である。
【図８】図１に示す送信機の現用・予備の切替え時の送信出力系統切替器と電力供給系統切替器との各スイッチの設定位置状態の一例を示す図である。
【図９】従来の送信システムの電源電力供給を示す図である。
【符号の説明】
１１，１２，１３    送信機
２１，２２    無停電電源装置（ＵＰＳ）
３０    制御装置
４０，９０    電力供給系統切替器
５０    送信出力系統切替器
６０    合成器
【図１】
0003582487.tif 000002
【図２】
0003582487.tif 000003
【図３】
0003582487.tif 000004
【図４】
0003582487.tif 000005
【図５】
0003582487.tif 000006
【図６】
0003582487.tif 000007
【図７】
0003582487.tif 000008
【図８】
0003582487.tif 000009
【図９】
0003582487.tif 000010